(57)【特許請求の範囲】
【請求項１】
ネットワークを介して複数の情報処理装置に接続され、前記複数の情報処理装置からの要求のある印刷ジョブの順序を並び替えて印刷処理することが可能な印刷装置において、
印刷する処理順に印刷ジョブを表示する表示手段と、
前記表示手段に表示された印刷ジョブから特定の印刷ジョブを指定して印刷する処理順序を変更する変更指示手段と、
時間を計時する時計手段と、
印刷ジョブに要する処理時間を予測し、予測された前記処理時間と前記計時手段の計時している時間情報とから、印刷ジョブの終了する終了予定時間を予測する終了時間予測手段とを備え、
上記変更指示手段により印刷ジョブの処理順序を変更した際、印刷ジョブの終了予定時間が変更前と比して所定時間以上変動する印刷ジョブを要求した上記情報処理装置に対し、変更後の前記終了予定時間を通知することを特徴とする印刷装置。
【請求項２】
使用者の認証データを記憶する認証データ記憶手段と、
認証データを入力するための認証データ入力手段と、
前記認証データ入力手段から入力された認証データと前記認証データ記憶手段に記憶された認証データとを比較する認証データ比較手段とを備え、
前記認証データ比較手段の比較結果に基づき、上記変更指示手段による処理順序の変更を許可することを特徴とする請求項１に記載の印刷装置。
【請求項３】
ネットワークを介して複数の情報処理装置に接続され、前記複数の情報処理装置からの要求のある印刷ジョブの順序を並び替えて印刷処理することが可能な印刷装置において、
印刷する処理順に印刷ジョブを表示する表示手段と、
前記表示手段に表示された印刷ジョブから特定の印刷ジョブを指定して印刷する処理順序を変更する変更指示手段と、
使用者の認証データを記憶する認証データ記憶手段と、
認証データを入力するための認証データ入力手段と、
前記認証データ入力手段から入力された認証データと前記認証データ記憶手段に記憶された認証データとを比較する認証データ比較手段とを備え、
前記認証データ比較手段の比較結果に基づき、上記変更指示手段による処理順序の変更を許可し、
印刷ジョブが処理順序を繰り上げたものであるか否かを判断し、処理順序を繰り上げた印刷ジョブであれば、所定の印刷枚数毎に上記認証データ入力手段を介した認証を行い、所定時間内に上記認証データ記憶手段に記憶された認証データの入力が無ければ変更前の処理順序に戻すことを特徴とする印刷装置。
【請求項４】
ネットワークを介して複数の情報処理装置に接続され、前記複数の情報処理装置からの要求のある印刷ジョブの順序を並び替えて印刷処理することが可能な印刷装置において、
印刷する処理順に印刷ジョブを表示する表示手段と、
前記表示手段に表示された印刷ジョブから特定の印刷ジョブを指定して印刷する処理順序を変更する変更指示手段と、
使用者の認証データを記憶する認証データ記憶手段と、
認証データを入力するための認証データ入力手段と、
前記認証データ入力手段から入力された認証データと前記認証データ記憶手段に記憶された認証データとを比較する認証データ比較手段とを備え、
前記認証データ比較手段の比較結果に基づき、上記変更指示手段による処理順序の変更を許可し、
印刷ジョブが処理順序を繰り上げたものであるか否かを判断し、処理順序を繰り上げた印刷ジョブであれば、該印刷ジョブの処理開始前に上記認証データ入力手段を介した認証を行い、所定時間内に上記認証データ記憶手段に記憶された認証データの入力が無ければ変更前の処理順序に戻すことを特徴とする印刷装置。
【請求項５】
ネットワークを介して複数の情報処理装置に接続され、前記複数の情報処理装置からの要求のある印刷ジョブの順序を並び替えて印刷処理することが可能な印刷装置において、
印刷する処理順に印刷ジョブを表示する表示手段と、
前記表示手段に表示された印刷ジョブから特定の印刷ジョブを指定して印刷する処理順序を変更する変更指示手段と、
処理順序の変更時に操作者の識別情報を入力する識別情報入力手段と、
上記変更指示手段から入力された処理順序の変更内容と前記識別情報入力手段から入力された識別情報とを記憶する記憶手段とを備え、
前記記憶手段に記憶している前記識別情報と前記変更内容の少なくともいずれか１つを表示又は印刷可能であることを特徴とする印刷装置。
【請求項６】
前記記憶手段はさらに、処理順序が変更された印刷ジョブの印刷データを記憶し、前記記憶手段に記憶している前記印刷データを表示又は印刷可能であることを特徴とする請求項５に記載の印刷装置。
【請求項７】
ネットワークを介して複数の情報処理装置に接続され、前記複数の情報処理装置からの要求のある印刷ジョブの順序を並び替えて印刷処理することが可能な印刷装置において、
印刷する処理順に印刷ジョブを表示する表示手段と、
前記表示手段に表示された印刷ジョブから特定の印刷ジョブを指定して印刷する処理順序を変更する変更指示手段と、
処理順序の変更時に操作者の識別情報を入力する識別情報入力手段と、
上記変更指示手段から入力された処理順序の変更内容と前記識別情報入力手段から入力された識別情報とを記憶する記憶手段とを備え、
前記記憶手段に記憶している前記識別情報と前記変更内容の少なくともいずれか１つを表示又は印刷可能であり、
記録紙の排出部に設けられ、印刷後の記録紙が積載されている状態と、印刷後の記録紙が取り出され積載されていない状態とを検出可能な排出紙検出手段と、
前記排出紙検出手段の検出結果に基づき、排出紙が積載されている滞留時間を計時する滞留時間計時手段と、
前記滞留時間計時手段の計時結果を記憶する滞留時間記憶手段とをさらに備え、
処理順序の変更された印刷ジョブについて、排出部での滞留時間を記録することを特徴とする印刷装置。
【請求項８】
ネットワークを介して複数の情報処理装置に接続され、前記複数の情報処理装置からの要求のある印刷ジョブの順序を並び替えて印刷処理することが可能な印刷装置において、
印刷する処理順に印刷ジョブを表示する表示手段と、
前記表示手段に表示された印刷ジョブから特定の印刷ジョブを指定して印刷する処理順序を変更する変更指示手段と、
処理順序を繰り上げた印刷データが所定部数より多い部数の印刷であった場合、処理順序を繰り上げるのは所定部数分のみとし、所定部数を超える印刷データについては、処理順序を繰り上げないことを特徴とする印刷装置。
【発明の詳細な説明】
【０００１】
【発明の属する技術分野】
本発明は、ネットワークを介して共有可能な画像形成装置や印刷装置の技術分野に属し、さらに詳細には、接続された情報処理装置を介して複数のユーザーから受け付けた印刷ジョブの処理順序を変更可能な印刷装置に関するものである。
【０００２】
【従来の技術】
複数のユーザーから印刷ジョブを受け付け、これらの出力順序をホストコンピューターや端末等の情報処理装置から自由かつ容易に変更する方法については、特開平０６−１５５８６１号公報や特開平０６−１８７１１２号公報で提案されている。
【０００３】
即ち、特開平０６−１５５８６１号公報には、ローカルエリアネットワークにおいて、出力プリンタや出力順序等を自由かつ容易に行えるようにすることを目的としたプリント制御回路が記載され、特開平６−１８７１１２号公報には、各ユーザから出力要求されたファイルの出力する連番を各ユーザの要求に応じて随時早めたり遅らせたりしてプリンタの効率的な利用を図るデータ処理装置が開示されている。
【０００４】
これらの従来技術においては、優先順位の情報をファイルに埋め込んだり印刷ジョブに添付して、ホスト装置から画像形成装置（あるいはプリンタサーバー）に送り、画像形成装置側では優先順位の情報に基づいて印刷処理順序を制御するようになっている。こうすることによって、緊急な印字が必要な場合などに各自が自分のホスト端末から容易に処理順序の変更することが可能になる。
【０００５】
【発明が解決しようとする課題】
しかしながらユーザーが制限なく自由で容易に優先順位を上げて処理順序を操作できるようにすると、緊急を要する印刷だけでなく常に処理順序を早めるような優先順位操作の乱用が発生する可能性があった。
【０００６】
このような乱用が起こると、節度を守っているユーザーが不利益を被ることになり、本当に緊急性のある印刷処理の優先順位を上げても順序を早められないことになる。
【０００７】
本発明は上述した問題点を解決するためになされたものであり、その目的とするところは、上述した優先順位操作の乱用を防止すべく一定の制限を設けながら、緊急性のある印刷ジョブについては、印刷順序の変更を許容できる印刷装置を提供することにある。
【０００８】
さらに本発明は、ユーザーを認証する手段を設けて認証されたユーザーの印刷処理の順序のみを変更できるようにすることを目的とする。
【０００９】
【課題を解決するための手段】
本発明は、ネットワークを介して複数の情報処理装置に接続され、前記複数の情報処理装置からの要求のある印刷ジョブの順序を並び替えて印刷処理することが可能な印刷装置において、印刷する処理順に印刷ジョブを表示する表示手段と、前記表示手段に表示された印刷ジョブから特定の印刷ジョブを指定して印刷する処理順序を変更する変更指示手段とを備えた印刷装置である。
【００１０】
本発明は、時間を計時する時計手段と、印刷ジョブに要する処理時間を予測し、予測された前記処理時間と前記計時手段の計時している時間情報とから、印刷ジョブの終了する終了予定時間を予測する終了時間予測手段と、を備え、上記表示手段はさらに、前記終了時間予測手段が予測した終了予定時間を表示することを特徴とする。
【００１１】
本発明は、上記変更指示手段により印刷ジョブの処理順序を変更した際、印刷ジョブの終了予定時間が変更前と比して所定時間以上変動する印刷ジョブを要求した上記情報処理装置に対し、変更後の前記終了予定時間を通知することを特徴とする。
【００１２】
本発明は、使用者の認証データを記憶する認証データ記憶手段と、認証データを入力するための認証データ入力手段と、前記認証データ入力手段から入力された認証データと前記認証データ記憶手段に記憶された認証データとを比較する認証データ比較手段とを備え、前記認証データ比較手段の比較結果に基づき、上記変更指示手段による処理順序の変更を許可することを特徴とする。
【００１３】
本発明は、印刷ジョブが処理順序を繰り上げたものであるか否かを判断し、処理順序を繰り上げた印刷ジョブであれば、所定の印刷枚数毎に上記認証データ入力手段を介した認証を行い、所定時間内に上記認証データ記憶手段に記憶された認証データの入力が無ければ変更前の処理順序に戻すことを特徴とする。
【００１４】
本発明は、印刷ジョブが処理順序を繰り上げたものであるか否かを判断し、処理順序を繰り上げた印刷ジョブであれば、該印刷ジョブの処理開始前に上記認証データ入力手段を介した認証を行い、所定時間内に上記認証データ記憶手段に記憶された認証データの入力が無ければ変更前の処理順序に戻すことを特徴とする。
【００１５】
本発明は、処理順序の変更時に操作者の識別情報を入力する識別情報入力手段と、上記変更指示手段から入力された処理順序の変更内容と前記識別情報入力手段から入力された識別情報とを記憶する記憶手段とを備え、前記記憶手段に記憶している前記識別情報と前記変更内容の少なくともいずれか１つを表示又は印刷可能である。
【００１６】
本発明は、前記記憶手段はさらに、処理順序が変更された印刷ジョブの印刷データを記憶し、前記記憶手段に記憶している前記印刷データを表示又は印刷可能であることを特徴とする。
【００１７】
本発明は、記録紙の排出部に設けられ、印刷後の記録紙が積載されている状態と、印刷後の記録紙が取り出され積載されていない状態とを検出可能な排出紙検出手段と、前記排出紙検出手段の検出結果に基づき、排出紙が積載されている滞留時間を計時する滞留時間計時手段と、前記滞留時間計時手段の計時結果を記憶する滞留時間記憶手段とを備え、処理順序の変更された印刷ジョブについて、排出部での滞留時間を記録することを特徴とする。
【００１８】
本発明は、処理順序を繰り上げた印刷データが所定部数より多い部数の印刷であった場合、処理順序を繰り上げるのは所定部数分のみとし、所定部数を超える印刷データについては、処理順序を繰り上げないことを特徴とする。
【００１９】
【発明の実施の形態】
本発明の実施例を図面を参照しながら説明する。図５はシステム全体の概要を説明するための説明図であり、本発明の実施形態に係る印刷装置（画像形成装置）３１と複数のＰＣ（情報処理装置、ホスト端末）３２〜３５がネットワーク４０を介して接続されている。
【００２０】
また、図１は本発明の印刷装置３１の概略構成を示すブロック図であり、タッチパネル液晶パネル等で構成された印刷ジョブなどを表示する表示部１１、ボタンなどで作られた装置の各種操作を行う操作部１２と、ネットワークカード等で構成され、外部のＰＣ３２〜３５等からの印刷ジョブの入力やＰＣ３２〜３５等への遅延情報などの出力を行う外部Ｉ／Ｆ部１３と、ＣＰＵ（Ｃｅｎｔｒａｌ  Ｐｒｏｃｅｓｉｎｇ  Ｕｎｉｔ）とＲＡＭ（Ｒａｎｄｏｍ  Ａｃｃｅｓｓ  Ｍｅｍｏｒｙ）とソフトウェアなどで構成され処理時間予測部１４ａやユーザー認証部１４ｂも含む印刷ジョブ管理部１４と、ＨＤＤ（Ｈａｒｄ  Ｄｉｓｋ  Ｄｒｉｖｅ）などで構成され、印刷ジョブやユーザー情報（識別情報）などを格納するデータ格納部１７と、発振器などで構成された時計部１８と、ＣＰＵとＲＡＭとソフトウェアなどで構成され、印刷ジョブからビットマップを作成する画像形成部１５と、実際に印刷を行うエンジン１６と、用紙が排出される用紙排出部２０と、赤外線センサなどの光学式センサで構成され排出する用紙の有無を検知可能なセンサ付き用紙排出部１９とから構成されている。
【００２１】
図１において、ネットワーク４０を介して、外部Ｉ／Ｆ部１３から入力された印刷ジョブが印刷ジョブ管理部１４を通してデータ格納部１７に保管され、処理順序の最後に配置される。印刷ジョブ管理部１４は画像形成部１５で処理する印刷ジョブが無くなり次第、処理順序の１番上の印刷ジョブを画像形成部１５に渡す。そして画像形成部１５は印刷ジョブを画像形成が終わったものからエンジン１６に送って印刷し、印刷された用紙は用紙排出部２０に排紙される。
【００２２】
ユーザーが印刷ジョブの処理順序を繰り上げようと思った場合、まず操作部１２を使って、データ格納部１７に保管された印刷ジョブの一覧を、表示部１１に表示させる。
【００２３】
図２〜図４は、図１における表示部１１での表示例及び操作部１２の一例を示している。ユーザーは表示されたユーザー名（ＰＣ又はＰＣを使用しているユーザの識別情報）やアプリケーション名（印刷するファイルを作成したプログラム名）、ファイル名などを参考に任意の印刷ジョブにタッチすることにより指定することができる。
【００２４】
指定された印刷ジョブは画面部１１ａのように反転表示し、上ボタン１２ａや下ボタン１２ｃを押すことによって任意の位置に反転表示部を持っていき、ＯＫボタン１２ｂを押すことで印刷ジョブを確定して処理順序を繰り上げると、画面図３の表示画面１１ｂのように遷移する。この操作は印刷装置３１の表示部１１と操作部１２の近傍でしか行えないことから、印刷装置３１の前に来るほどに緊急性のある場合にのみ、印刷処理の処理順序を繰り上げることが可能となる。
【００２５】
また、印刷ジョブ管理部１４は各印刷ジョブの処理時間予測を行うとともに時計部１８に保持されている現在時刻又は所定タイミングを基準とした経過時間を用いて、表示部１１に印刷終了予定時刻の表示を行うことも可能である。
【００２６】
この場合、印刷終了予定時刻を算出するには、例えば印刷装置の仕様から、用紙サイズ情報（例えば、Ａ３、Ａ４、Ｂ４、Ｂ５）と、印字モード（カラー、白黒、高解像度モード、低解像度モード）等と印字速度の関係は一意的に決まっており、これらの値を予め記憶しておいたり、算出するのに用いたりすることで処理に必要な時間が求められる。
【００２７】
このようにして、ユーザーは印刷終了予定時刻を参考に、必要な分だけ、任意の印刷ジョブの順序を繰り上げることができる。これで、ユーザーが欲する時刻までしか印刷ジョブを上げなくて済むので、むやみに処理順序を上げることが防げる。
【００２８】
ある印刷ジョブの処理順序を上げたために、終了予定時刻が所定時間以上遅くなったユーザーには、外部Ｉ／Ｆ部１３を介して、ネットワーク上にあるホスト端末３２〜３５に通知する。これで、処理順序が下がったユーザーはホスト端末でそのことがわかり、まだ印刷出力が完了していないのに装置まで取りに行ってしまうことが防げる。
【００２９】
また、ユーザーが処理順序を変更しようとした場合に、印刷ジョブ管理部１４は表示部１１と操作部１２、またユーザー情報のあるデータ格納部１７を使ってユーザー認証を行う。図６はその印刷ジョブの処理順序の変更のフローチャートである。
【００３０】
ユーザーが処理順序を変更しようとした場合（ステップＳ４１、以降、Ｓ４１というように略す）、操作部１２を使ってユーザー認証のためのデータ入力を行う（Ｓ４２）。印刷ジョブ管理部１４はその入力されたデータが、あらかじめデータ格納部１７に登録してあるユーザー情報と比較して正しいかどうか判定し（Ｓ４３）、正しい場合はユーザー認証されたとして処理順序を変更し（Ｓ４４）、正しくない場合は変更しない。これにより、他の人の印刷ジョブを変更出来なくなる。なお、ユーザー認証のために操作部にテンキーなどを配置してもよい。
【００３１】
処理順序を上げた印刷ジョブについては所定数印刷毎にユーザー認証を行う。図７はその印刷ジョブのユーザー認証のフローチャートである。まず、印刷ジョブが処理順序を上げたジョブかどうか判定し（Ｓ５１）、上げていない場合は通常の印刷を行い（Ｓ５２）、上げている場合は所定枚数印刷後（Ｓ５３）、印刷ジョブが終わったか判定し（Ｓ５４）、終わった場合はそのまま終了する。
【００３２】
終わっていない場合は所定時間内にユーザー認証のためのデータ入力があったかを判定し（Ｓ５５）、無い場合は印刷ジョブを元の処理順序に戻す（Ｓ５６）。データ入力があった場合はその認証が正しいか判定して（Ｓ５７）、正しくない場合は再度所定時間内にユーザー認証があったかの判定を行い（Ｓ５５）、正しい場合は所定枚数印刷を行う（Ｓ５３）。これにより、印刷出力を欲するユーザーが出力中装置の前にいることが確認でき、緊急性が高い印刷ジョブが優先して出力される。
【００３３】
処理順序を上げた印刷ジョブについては直前の印刷ジョブの処理完了時に認証を行う。図８はその印刷ジョブのユーザー認証のフローチャートである。まず印刷ジョブが処理順序を上げたジョブかどうか判定して（Ｓ６１）、上げていない場合は印刷を行う（Ｓ６２）。
【００３４】
上げている場合は所定時間内にユーザー認証のためのデータ入力があったか判定し（Ｓ６３）、無い場合は印刷ジョブを元の処理順序に戻す（Ｓ６５）。データ入力があった場合はそのデータか正しいかどうか判定し（Ｓ６４）、正しい場合は印刷し（Ｓ６２）、正しくない場合は再度所定時間内にユーザー認証があったか判定する（Ｓ６３）。これにより、処理順序を上げたユーザーが処理しかかり時にも装置の前にいることが確認でき、緊急性が高い印刷ジョブが優先して出力される。
【００３５】
処理順序を上げたユーザーを印刷ジョブ管理部１４はデータ格納部１７で記憶しておき、管理者等が表示部１１で表示させたり、用紙に印刷させ、後日、誰が何時どれくらい順序を上げたかをチェック可能となる。これで、処理順序を上げたことが必要だったかをそのユーザーに問うことができる。また、処理順序を上げたというユーザー情報が装置に記憶されるということで、安易に処理順序を上げることが抑制される効果も期待できる。
【００３６】
また、処理順序を上げたというユーザー情報だけでなく、処理順序を上げた印刷データ自体も記憶しておき、後日、その印刷データを印刷したり、表示部１１に表示したりして、チェック可能となる。これで、順序を上げたことが必要だったかを印刷データも含めて検証できる。
【００３７】
処理順序を上げた印刷ジョブについては、センサー付き用紙排出部１９に排出し、その滞留時間を、印刷ジョブ管理部１４がデータ格納部１７に記録する。管理者等が表示部１１に表示したり、または印刷したりして、その記録された時間をチェックすることにより、印刷ジョブの処理順序を上げたにもかかわらず実際にはその印刷出力を取りに来るのに時間がかかったユーザーへの警告等が、管理者より可能となる。また、そのような運用を行うことにより、安易に処理順序を上げることが抑制される効果も期待できる。
【００３８】
処理順序を上げた印刷ジョブが所定部数より多い部数の印刷の場合は、所定部数のみ順序を上げ、残りは元の処理順序のままとする。所定部数が１部の例として、図２の画面１１ａの３番目の印刷ジョブを１番目に順序を上げた場合は、画面１１ｃのように１部のみ１番目に行き、残りは元の位置のままである。こうすることにより、特定のユーザーが装置を占有することを防げる。
【００３９】
【発明の効果】
本発明は、上述の通り、複数のホスト装置等の情報処理装置（ユーザー）が共有する印刷装置において、各ユーザーが緊急の印刷の処理順序を自由に早めることが出来れば便利であるが、一方で緊急でない場合にも安易に処理順序が操作される事態も起こり得ることから、このような事態を防ぐために、印刷装置まで行って印刷出力を待ち受けるくらいに緊急な印刷のみ処理順序の操作を許すことができるというものである。以下、請求項毎に発明の効果を記載する。
【００４０】
本発明によれば、ネットワークを介して複数の情報処理装置に接続され、前記複数の情報処理装置からの要求のある印刷ジョブの順序を並び替えて印刷処理することが可能な印刷装置において、印刷する処理順に印刷ジョブを表示する表示手段と、前記表示手段に表示された印刷ジョブから特定の印刷ジョブを指定して印刷する処理順序を変更する変更指示手段とを備えたことを特徴としているので、装置の前に来るほどに緊急性のある印刷ジョブの印刷処理の処理順序を上げることが出来るという効果がある。
【００４１】
本発明によれば、時間を計時する時計手段と、印刷ジョブに要する処理時間を予測し、予測された前記処理時間と前記計時手段の計時している時間情報とから、印刷ジョブの終了する終了予定時間を予測する終了時間予測手段と、を備え、上記表示手段はさらに、前記終了時間予測手段が予測した終了予定時間を表示することを特徴とするので、ユーザーは必要な時刻までしか処理順序を上げなくなるので、むやみに処理順序を上げることが防げるという効果がある。
【００４２】
本発明によれば、上記変更指示手段により印刷ジョブの処理順序を変更した際、印刷ジョブの終了予定時間が変更前と比して所定時間以上変動する印刷ジョブを要求した上記情報処理装置に対し、変更後の前記終了予定時間を通知することを特徴とするので、遅延したことをユーザーが端末で知ることができ、印刷が終了するまでに誤って装置まで取りに行ってしまうといった不具合を防止できる。
【００４３】
本発明によれば、使用者の認証データを記憶する認証データ記憶手段と、認証データを入力するための認証データ入力手段と、前記認証データ入力手段から入力された認証データと前記認証データ記憶手段に記憶された認証データとを比較する認証データ比較手段とを備え、前記認証データ比較手段の比較結果に基づき、上記変更指示手段による処理順序の変更を許可することを特徴とするので、他人の印刷ジョブまでも変更されるという不具合を防止することができる。
【００４４】
本発明によれば、印刷ジョブが処理順序を繰り上げたものであるか否かを判断し、処理順序を繰り上げた印刷ジョブであれば、所定の印刷枚数毎に上記認証データ入力手段を介した認証を行い、所定時間内に上記認証データ記憶手段に記憶された認証データの入力が無ければ変更前の処理順序に戻すことを特徴とするので、装置の前で待ちかまえるほど緊急性の高い印刷ジョブのみ印刷を行うことが出来るという効果がある。
【００４５】
本発明によれば、印刷ジョブが処理順序を繰り上げたものであるか否かを判断し、処理順序を繰り上げた印刷ジョブであれば、該印刷ジョブの処理開始前に上記認証データ入力手段を介した認証を行い、所定時間内に上記認証データ記憶手段に記憶された認証データの入力が無ければ変更前の処理順序に戻すことを特徴とするので、処理のしかかり時にも装置の前にいるほど緊急性の高い印刷ジョブのみ印刷を行うことが出来るという効果がある。
【００４６】
本発明によれば、処理順序の変更時に操作者の識別情報を入力する識別情報入力手段と、上記変更指示手段から入力された処理順序の変更内容と前記識別情報入力手段から入力された識別情報とを記憶する記憶手段とを備え、前記記憶手段に記憶している前記識別情報と前記変更内容の少なくともいずれか１つを表示又は印刷可能であることを特徴とするので、後から順序を上げたことが必要だったかをそのユーザーに問うことができ、安易に処理順序を上げることが抑制される効果も期待できる。
【００４７】
本発明によれば、前記記憶手段はさらに、処理順序が変更された印刷ジョブの印刷データを記憶し、前記記憶手段に記憶している前記印刷データを表示又は印刷可能であることを特徴とするので、後から順序を上げたことが必要だったかを印刷データも含めて検証できるという効果がある。
【００４８】
本発明によれば、記録紙の排出部に設けられ、印刷後の記録紙が積載されている状態と、印刷後の記録紙が取り出され積載されていない状態とを検出可能な排出紙検出手段と、前記排出紙検出手段の検出結果に基づき、排出紙が積載されている滞留時間を計時する滞留時間計時手段と、前記滞留時間計時手段の計時結果を記憶する滞留時間記憶手段とを備え、処理順序の変更された印刷ジョブについて、排出部での滞留時間を記録することを特徴とするので、滞留時間を記録することで、緊急性が高かったかを検証できるという効果がある。
【００４９】
本発明は、処理順序を繰り上げた印刷データが所定部数より多い部数の印刷であった場合、処理順序を繰り上げるのは所定部数分のみとし、所定部数を超える印刷データについては、処理順序を繰り上げないことを特徴とするので、特定のユーザーが独占しないように出来るという効果がある。
【図面の簡単な説明】
【図１】本発明の実施形態に係る画像形成装置の概略構成を示すブロック図である。
【図２】本発明の実施形態に係り、表示部及び操作部の表示内容や操作方法を説明するための説明図である。
【図３】本発明の実施形態に係り、表示部及び操作部の表示内容や操作方法を説明するための説明図である。
【図４】本発明の実施形態に係り、表示部及び操作部の表示内容や操作方法を説明するための説明図である。
【図５】本発明の実施形態に係る画像形成装置が複数のユーザにより共有されている状態を説明するための図である。
【図６】本発明の実施形態に係る画像形成装置の動作内容を説明するためのフローチャートである。
【図７】本発明の実施形態に係る画像形成装置の動作内容を説明するためのフローチャートである。
【図８】本発明の実施形態に係る画像形成装置の動作内容を説明するためのフローチャートである。
【符号の説明】
１１  表示部
１１ａ  画面部
１２ａ  上ボタン
１２ｂ  下ボタン
１２ｃ  ＯＫボタン
１２  操作部
１３  外部Ｉ／Ｆ部
１４  印刷ジョブ管理部
１４ａ  処理時間予測部
１４ｂ  ユーザー認証部
１５  画像形成部
１６  エンジン部
１７  データ格納部
１８  時計部
１９  センサ付き用紙排出部
２０  用紙搬出部
３１  印刷装置（画像形成装置）
３２〜３５  ＰＣ（情報処理装置）
４０  ネットワーク
【図１】
0003599315.tif 000002
【図２】
0003599315.tif 000003
【図３】
0003599315.tif 000004
【図４】
0003599315.tif 000005
【図５】
0003599315.tif 000006
【図６】
0003599315.tif 000007
【図７】
0003599315.tif 000008
【図８】
0003599315.tif 000009